【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
道路網に複数設置された車両感知器の異常を検知する車両感知器異常検知装置であって、
前記車両感知器から計測数量を含む感知器情報を収集する感知器情報収集部と、
前記車両感知器が設置された道路を流入路とする信号交差点から前記車両感知器までの距離、前記信号交差点に設置された交通信号機において前記流入路に関する青時間比、および前記車両感知器が右折専用レーン上に設置されたものか否かに関する類型化条件にしたがって、複数の前記車両感知器を複数の類型に振り分ける類型化処理部と、
ユーザにより既に異常と判断された前記車両感知器の前記計測数量に基づいて、異常状態における前記類型ごとの前記計測数量の分布状況を表す類型別マップ情報を生成するマップ情報生成部と、
判定対象とする前記車両感知器の計測数量および前記類型別マップ情報に基づいて、前記車両感知器の異常を判定する感知器状態判定部と、
を備えたことを特徴とする車両感知器異常検知装置。
【請求項２】
前記計測数量に対して指定期間ごとの統計処理を行って、前記計測数量の統計値を含む統計情報を生成する統計処理部をさらに備え、
前記マップ情報生成部は、前記計測数量の統計値に基づいて前記類型別マップ情報を生成することを特徴とする請求項１に記載の車両感知器異常検知装置。
【請求項３】
前記マップ情報生成部は、ユーザにより既に異常と判断されていない前記車両感知器の前記計測数量に基づいて、正常状態における前記類型ごとの前記計測数量の分布状況を表す類型別マップ情報を生成し、
前記感知器状態判定部は、前記異常状態における前記類型別マップ情報および前記正常状態における前記類型別マップ情報に基づいて、前記車両感知器の異常、正常および要注意状態を判定することを特徴とする請求項１または請求項２に記載の車両感知器異常検知装置。
【請求項４】
前記マップ情報生成部は、特殊事象および交通規制の少なくともいずれかが発生している期間における前記計測数量を処理対象から除外することを特徴とする請求項１から請求項３のいずれかに記載の車両感知器異常検知装置。
【請求項５】
前記統計処理部は、特殊事象および交通規制の少なくともいずれかが発生している期間における前記計測数量を処理対象から除外することを特徴とする請求項２に記載の車両感知器異常検知装置。
【請求項６】
前記マップ情報は、交通量および占有率の組み合わせによるものであることを特徴とする請求項１から請求項５のいずれかに記載の車両感知器異常検知装置。
【請求項７】
車両感知器の計測数量に基づく交通状況を分析して、その分析結果を表示装置に表示させる交通状況分析装置であって、
請求項１から請求項６のいずれかに記載の車両感知器異常検知装置を含み、
この車両感知器異常検知装置により異常と判定されなかった前記車両感知器を対象にして、前記車両感知器の前記計測数量が表す交通状況の異常を判定する交通状況判定部と、
この交通状況判定部の判定結果に基づいて、交通状況の異常を前記表示装置に表示させる交通状況表示部と、
を備えたことを特徴とする交通状況分析装置。
【請求項８】
車両感知器の計測数量に基づく交通状況を分析して、その分析結果を表示装置に表示させる交通状況分析装置であって、
前記車両感知器から計測数量を含む感知器情報を収集する感知器情報収集部と、
ユーザにより既に異常と判断された前記車両感知器の前記計測数量に基づいて、異常状態における前記計測数量の分布状況を表すマップ情報を生成するマップ情報生成部と、
判定対象とする前記車両感知器の計測数量および前記異常状態におけるマップ情報に基づいて、前記車両感知器の異常を判定する感知器状態判定部と、
を備えた車両感知器異常検知装置を含み、
この車両感知器異常検知装置により異常と判定されなかった前記車両感知器を対象にして、前記車両感知器の前記計測数量が表す交通状況の異常を判定する交通状況判定部と、
この交通状況判定部の判定結果に基づいて、道路網におけるリンクごとの交通状況を表示する画面において、交通状況が異常と判定された前記車両感知器に対応する前記リンクを識別可能に表示させる交通状況表示部と、
を備えたことを特徴とする交通状況分析装置。
【請求項９】
車両感知器の計測数量に基づく交通状況を分析して、その分析結果を表示装置に表示させる交通状況分析装置であって、
前記車両感知器から計測数量を含む感知器情報を収集する感知器情報収集部と、
ユーザにより既に異常と判断された前記車両感知器の前記計測数量に基づいて、異常状態における前記計測数量の分布状況を表すマップ情報を生成するマップ情報生成部と、
判定対象とする前記車両感知器の計測数量および前記異常状態におけるマップ情報に基づいて、前記車両感知器の異常を判定する感知器状態判定部と、
を備えた車両感知器異常検知装置を含み、
この車両感知器異常検知装置により異常と判定されなかった前記車両感知器を対象にして、前記車両感知器の前記計測数量が表す交通状況の異常を判定する交通状況判定部と、
この交通状況判定部の判定結果に基づいて、道路網におけるリンクごとの交通状況を表示する画面において、前記車両感知器に対応する前記リンクごとの交通量の異常の度合いを識別可能に表示させる交通状況表示部と、
を備えたことを特徴とする交通状況分析装置。
【請求項１０】
過去の所定の対象期間における前記計測数量の時間帯ごとの分布状況を表す個別マップ情報を前記車両感知器ごとに生成するマップ情報生成部をさらに備え、
前記交通状況判定部は、判定対象とする前記車両感知器の直近の期間における前記計測数量、および当該車両感知器に関する前記個別マップ情報に基づいて、当該車両感知器に関する交通状況の異常を判定することを特徴とする請求項７から請求項９のいずれかに記載の交通状況分析装置。
【請求項１１】
前記交通状況表示部は、判定対象とする前記車両感知器に関する前記個別マップ情報を可視化したマップ画像上に、当該車両感知器の直近の期間における前記計測数量をプロットした画面を表示させることを特徴とする請求項１０に記載の交通状況分析装置。
【請求項１２】
道路網に複数設置された車両感知器の異常を検知する車両感知器異常検知システムであって、
前記車両感知器により取得した情報に基づいて、交通情報を生成するとともに交通信号機を制御する第１の装置と、
この第１の装置に付加的に設けられる第２の装置と、
を有し、
前記第１の装置は、
前記車両感知器から計測数量を含む感知器情報を収集する感知器情報収集部を備え、
前記第２の装置は、
前記車両感知器が設置された道路を流入路とする信号交差点から前記車両感知器までの距離、前記信号交差点に設置された交通信号機において前記流入路に関する青時間比、および前記車両感知器が右折専用レーン上に設置されたものか否かに関する類型化条件にしたがって、複数の前記車両感知器を複数の類型に振り分ける類型化処理部と、
前記第１の装置から前記感知器情報を取得して、ユーザにより既に異常と判断された前記車両感知器の前記計測数量に基づいて、異常状態における前記類型ごとの前記計測数量の分布状況を表す類型別マップ情報を生成するマップ情報生成部と、
判定対象とする前記車両感知器の計測数量および前記類型別マップ情報に基づいて、前記車両感知器の異常を判定する感知器状態判定部と、
を備えたことを特徴とする車両感知器異常検知システム。
【請求項１３】
車両感知器の計測数量に基づく交通状況を分析して、その分析結果を表示装置に表示させる交通状況分析システムであって、
前記車両感知器により取得した情報に基づいて、交通情報を生成するとともに交通信号機を制御する第１の装置と、
この第１の装置に付加的に設けられる第２の装置と、
を有し、
前記第１の装置は、
前記車両感知器から計測数量を含む感知器情報を収集する感知器情報収集部を備え、
前記第２の装置は、
前記第１の装置から前記感知器情報を取得して、ユーザにより既に異常と判断された前記車両感知器の前記計測数量に基づいて、異常状態における前記計測数量の分布状況を表すマップ情報を生成するマップ情報生成部と、
判定対象とする前記車両感知器の計測数量および前記異常状態におけるマップ情報に基づいて、前記車両感知器の異常を判定する感知器状態判定部と、
この感知器状態判定部により異常と判定されなかった前記車両感知器を対象にして、前記車両感知器の前記計測数量が表す交通状況の異常を判定する交通状況判定部と、
この交通状況判定部の判定結果に基づいて、道路網におけるリンクごとの交通状況を表示する画面において、交通状況が異常と判定された前記車両感知器に対応する前記リンクを識別可能に、または、前記車両感知器に対応する前記リンクごとの交通量の異常の度合いを識別可能に、前記表示装置に表示させる交通状況表示部と、
を備えたことを特徴とする交通状況分析システム。
【請求項１４】
道路網に複数設置された車両感知器の異常を検知する処理をコンピュータに実行させるためのプログラムであって、
前記車両感知器から計測数量を含む感知器情報を収集するステップと、
前記車両感知器が設置された道路を流入路とする信号交差点から前記車両感知器までの距離、前記信号交差点に設置された交通信号機において前記流入路に関する青時間比、および前記車両感知器が右折専用レーン上に設置されたものか否かに関する類型化条件にしたがって、複数の前記車両感知器を複数の類型に振り分けるステップと、
ユーザにより既に異常と判断された前記車両感知器の前記計測数量に基づいて、異常状態における前記類型ごとの前記計測数量の分布状況を表す類型別マップ情報を生成するステップと、
判定対象とする前記車両感知器の計測数量および前記類型別マップ情報に基づいて、前記車両感知器の異常を判定するステップと、
を前記コンピュータに実行させることを特徴とするプログラム。
【請求項１５】
車両感知器の計測数量に基づく交通状況を分析して、その分析結果を表示装置に表示させる処理をコンピュータに実行させるためのプログラムであって、
前記車両感知器から計測数量を含む感知器情報を収集するステップと、
ユーザにより既に異常と判断された前記車両感知器の前記計測数量に基づいて、異常状態における前記計測数量の分布状況を表すマップ情報を生成するステップと、
判定対象とする前記車両感知器の計測数量および前記異常状態におけるマップ情報に基づいて、前記車両感知器の異常を判定するステップと、
このステップにより異常と判定されなかった前記車両感知器を対象にして、前記車両感知器の前記計測数量が表す交通状況の異常を判定するステップと、
このステップの判定結果に基づいて、道路網におけるリンクごとの交通状況を表示する画面において、交通状況が異常と判定された前記車両感知器に対応する前記リンクを識別可能に、または、前記車両感知器に対応する前記リンクごとの交通量の異常の度合いを識別可能に、前記表示装置に表示させるステップと、
を前記コンピュータに実行させることを特徴とするプログラム。
【手続補正２】
【補正対象書類名】明細書
【補正対象項目名】００１０
【補正方法】変更
【補正の内容】
【００１０】
本発明の車両感知器異常検知装置は、道路網に複数設置された車両感知器の異常を検知する車両感知器異常検知装置であって、前記車両感知器から計測数量を含む感知器情報を収集する感知器情報収集部と、前記車両感知器が設置された道路を流入路とする信号交差点から前記車両感知器までの距離、前記信号交差点に設置された交通信号機において前記流入路に関する青時間比、および前記車両感知器が右折専用レーン上に設置されたものか否かに関する類型化条件にしたがって、複数の前記車両感知器を複数の類型に振り分ける類型化処理部と、ユーザにより既に異常と判断された前記車両感知器の前記計測数量に基づいて、異常状態における前記類型ごとの前記計測数量の分布状況を表す類型別マップ情報を生成するマップ情報生成部と、判定対象とする前記車両感知器の計測数量および前記類型別マップ情報に基づいて、前記車両感知器の異常を判定する感知器状態判定部と、を備えた構成とする。
【手続補正３】
【補正対象書類名】明細書
【補正対象項目名】００１２
【補正方法】変更
【補正の内容】
【００１２】
また、本発明の車両感知器異常検知システムは、道路網に複数設置された車両感知器の異常を検知する車両感知器異常検知システムであって、前記車両感知器により取得した情報に基づいて、交通情報を生成するとともに交通信号機を制御する第１の装置と、この第１の装置に付加的に設けられる第２の装置と、を有し、前記第１の装置は、前記車両感知器から計測数量を含む感知器情報を収集する感知器情報収集部を備え、前記第２の装置は、前記車両感知器が設置された道路を流入路とする信号交差点から前記車両感知器までの距離、前記信号交差点に設置された交通信号機において前記流入路に関する青時間比、および前記車両感知器が右折専用レーン上に設置されたものか否かに関する類型化条件にしたがって、複数の前記車両感知器を複数の類型に振り分ける類型化処理部と、前記第１の装置から前記感知器情報を取得して、ユーザにより既に異常と判断された前記車両感知器の前記計測数量に基づいて、異常状態における前記類型ごとの前記計測数量の分布状況を表す類型別マップ情報を生成するマップ情報生成部と、判定対象とする前記車両感知器の計測数量および前記類型別マップ情報に基づいて、前記車両感知器の異常を判定する感知器状態判定部と、を備えた構成とする。
【手続補正４】
【補正対象書類名】明細書
【補正対象項目名】００１３
【補正方法】変更
【補正の内容】
【００１３】
また、本発明の交通状況分析システムは、車両感知器の計測数量に基づく交通状況を分析して、その分析結果を表示装置に表示させる交通状況分析システムであって、前記車両感知器により取得した情報に基づいて、交通情報を生成するとともに交通信号機を制御する第１の装置と、この第１の装置に付加的に設けられる第２の装置と、を有し、前記第１の装置は、前記車両感知器から計測数量を含む感知器情報を収集する感知器情報収集部を備え、前記第２の装置は、前記第１の装置から前記感知器情報を取得して、ユーザにより既に異常と判断された前記車両感知器の前記計測数量に基づいて、異常状態における前記計測数量の分布状況を表すマップ情報を生成するマップ情報生成部と、判定対象とする前記車両感知器の計測数量および前記異常状態におけるマップ情報に基づいて、前記車両感知器の異常を判定する感知器状態判定部と、この感知器状態判定部により異常と判定されなかった前記車両感知器を対象にして、前記車両感知器の前記計測数量が表す交通状況の異常を判定する交通状況判定部と、この交通状況判定部の判定結果に基づいて、道路網におけるリンクごとの交通状況を表示する画面において、交通状況が異常と判定された前記車両感知器に対応する前記リンクを識別可能に、または、前記車両感知器に対応する前記リンクごとの交通量の異常の度合いを識別可能に、前記表示装置に表示させる交通状況表示部と、を備えた構成とする。
【手続補正５】
【補正対象書類名】明細書
【補正対象項目名】００１４
【補正方法】変更
【補正の内容】
【００１４】
また、本発明のプログラムは、道路網に複数設置された車両感知器の異常を検知する処理をコンピュータに実行させるためのプログラムであって、前記車両感知器から計測数量を含む感知器情報を収集するステップと、前記車両感知器が設置された道路を流入路とする信号交差点から前記車両感知器までの距離、前記信号交差点に設置された交通信号機において前記流入路に関する青時間比、および前記車両感知器が右折専用レーン上に設置されたものか否かに関する類型化条件にしたがって、複数の前記車両感知器を複数の類型に振り分けるステップと、ユーザにより既に異常と判断された前記車両感知器の前記計測数量に基づいて、異常状態における前記類型ごとの前記計測数量の分布状況を表す類型別マップ情報を生成するステップと、判定対象とする前記車両感知器の計測数量および前記類型別マップ情報に基づいて、前記車両感知器の異常を判定するステップと、を前記コンピュータに実行させる構成とする。
【手続補正６】
【補正対象書類名】明細書
【補正対象項目名】００１５
【補正方法】変更
【補正の内容】
【００１５】
また、本発明のプログラムは、車両感知器の計測数量に基づく交通状況を分析して、その分析結果を表示装置に表示させる処理をコンピュータに実行させるためのプログラムであって、前記車両感知器から計測数量を含む感知器情報を収集するステップと、ユーザにより既に異常と判断された前記車両感知器の前記計測数量に基づいて、異常状態における前記計測数量の分布状況を表すマップ情報を生成するステップと、判定対象とする前記車両感知器の計測数量および前記異常状態におけるマップ情報に基づいて、前記車両感知器の異常を判定するステップと、このステップにより異常と判定されなかった前記車両感知器を対象にして、前記車両感知器の前記計測数量が表す交通状況の異常を判定するステップと、このステップの判定結果に基づいて、道路網におけるリンクごとの交通状況を表示する画面において、交通状況が異常と判定された前記車両感知器に対応する前記リンクを識別可能に、または、前記車両感知器に対応する前記リンクごとの交通量の異常の度合いを識別可能に、前記表示装置に表示させるステップと、を前記コンピュータに実行させる構成とする。
【手続補正７】
【補正対象書類名】明細書
【補正対象項目名】００１９
【補正方法】変更
【補正の内容】
【００１９】
前記課題を解決するためになされた第１の発明は、道路網に複数設置された車両感知器の異常を検知する車両感知器異常検知装置であって、前記車両感知器から計測数量を含む感知器情報を収集する感知器情報収集部と、前記車両感知器が設置された道路を流入路とする信号交差点から前記車両感知器までの距離、前記信号交差点に設置された交通信号機において前記流入路に関する青時間比、および前記車両感知器が右折専用レーン上に設置されたものか否かに関する類型化条件にしたがって、複数の前記車両感知器を複数の類型に振り分ける類型化処理部と、ユーザにより既に異常と判断された前記車両感知器の前記計測数量に基づいて、異常状態における前記類型ごとの前記計測数量の分布状況を表す類型別マップ情報を生成するマップ情報生成部と、判定対象とする前記車両感知器の計測数量および前記類型別マップ情報に基づいて、前記車両感知器の異常を判定する感知器状態判定部と、を備えた構成とする。
【手続補正８】
【補正対象書類名】明細書
【補正対象項目名】００２０
【補正方法】変更
【補正の内容】
【００２０】
これによると、車両感知器が適切に類型化されるため、異常状態における類型ごとの計測数量の分布状況を表す類型別マップ情報と、判定対象とする車両感知器の計測数量とを比較することで、車両感知器の異常を精度よく検知することができる。そして、車両感知器以外に情報を収集する装置を必要としないため、実現可能性が高く、例えば交通管制システムの中央装置で比較的安価に実現することが可能となる。なお、ここで、車両感知器の異常とは、車両感知器の素子の劣化などによる故障、および樹木の生長により検出信号の送受信が阻害されることによる異常動作などを含む。
【手続補正９】
【補正対象書類名】明細書
【補正対象項目名】００２１
【補正方法】変更
【補正の内容】
【００２１】
また、第２の発明は、前記計測数量に対して指定期間ごとの統計処理を行って、前記計測数量の統計値を含む統計情報を生成する統計処理部をさらに備え、前記マップ情報生成部は、前記計測数量の統計値に基づいて前記類型別マップ情報を生成する構成とする。
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】変更
【補正の内容】
【００２９】
また、第３の発明は、前記マップ情報生成部は、ユーザにより既に異常と判断されていない前記車両感知器の前記計測数量に基づいて、正常状態における前記類型ごとの前記計測数量の分布状況を表す類型別マップ情報を生成し、前記感知器状態判定部は、前記異常状態における前記類型別マップ情報および前記正常状態における前記類型別マップ情報に基づいて、前記車両感知器の異常、正常および要注意状態を判定する構成とする。
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】変更
【補正の内容】
【００３３】
また、第４の発明は、前記マップ情報生成部は、特殊事象および交通規制の少なくともいずれかが発生している期間における前記計測数量を処理対象から除外する構成とする。
【手続補正２０】
【補正対象書類名】明細書
【補正対象項目名】００３５
【補正方法】変更
【補正の内容】
【００３５】
また、第５の発明は、前記統計処理部は、特殊事象および交通規制の少なくともいずれかが発生している期間における前記計測数量を処理対象から除外する構成とする。
【手続補正２１】
【補正対象書類名】明細書
【補正対象項目名】００３７
【補正方法】変更
【補正の内容】
【００３７】
また、第６の発明は、前記マップ情報は、交通量および占有率の組み合わせによるものである構成とする。
【手続補正２２】
【補正対象書類名】明細書
【補正対象項目名】００３９
【補正方法】変更
【補正の内容】
【００３９】
また、第７の発明は、車両感知器の計測数量に基づく交通状況を分析して、その分析結果を表示装置に表示させる交通状況分析装置であって、前記車両感知器異常検知装置を含み、この車両感知器異常検知装置により異常と判定されなかった前記車両感知器を対象にして、前記車両感知器の前記計測数量が表す交通状況の異常を判定する交通状況判定部と、この交通状況判定部の判定結果に基づいて、交通状況の異常を前記表示装置に表示させる交通状況表示部と、を備えた構成とする。
【手続補正２３】
【補正対象書類名】明細書
【補正対象項目名】００４１
【補正方法】変更
【補正の内容】
【００４１】
また、第８の発明は、車両感知器の計測数量に基づく交通状況を分析して、その分析結果を表示装置に表示させる交通状況分析装置であって、前記車両感知器から計測数量を含む感知器情報を収集する感知器情報収集部と、ユーザにより既に異常と判断された前記車両感知器の前記計測数量に基づいて、異常状態における前記計測数量の分布状況を表すマップ情報を生成するマップ情報生成部と、判定対象とする前記車両感知器の計測数量および前記異常状態におけるマップ情報に基づいて、前記車両感知器の異常を判定する感知器状態判定部と、を備えた車両感知器異常検知装置を含み、この車両感知器異常検知装置により異常と判定されなかった前記車両感知器を対象にして、前記車両感知器の前記計測数量が表す交通状況の異常を判定する交通状況判定部と、この交通状況判定部の判定結果に基づいて、道路網におけるリンクごとの交通状況を表示する画面において、交通状況が異常と判定された前記車両感知器に対応する前記リンクを識別可能に表示させる交通状況表示部と、を備えた構成とする。
【手続補正２４】
【補正対象書類名】明細書
【補正対象項目名】００４３
【補正方法】変更
【補正の内容】
【００４３】
また、第９の発明は、車両感知器の計測数量に基づく交通状況を分析して、その分析結果を表示装置に表示させる交通状況分析装置であって、前記車両感知器から計測数量を含む感知器情報を収集する感知器情報収集部と、ユーザにより既に異常と判断された前記車両感知器の前記計測数量に基づいて、異常状態における前記計測数量の分布状況を表すマップ情報を生成するマップ情報生成部と、判定対象とする前記車両感知器の計測数量および前記異常状態におけるマップ情報に基づいて、前記車両感知器の異常を判定する感知器状態判定部と、を備えた車両感知器異常検知装置を含み、この車両感知器異常検知装置により異常と判定されなかった前記車両感知器を対象にして、前記車両感知器の前記計測数量が表す交通状況の異常を判定する交通状況判定部と、この交通状況判定部の判定結果に基づいて、道路網におけるリンクごとの交通状況を表示する画面において、前記車両感知器に対応する前記リンクごとの交通量の異常の度合いを識別可能に表示させる交通状況表示部と、を備えた構成とする。
【手続補正２５】
【補正対象書類名】明細書
【補正対象項目名】００４５
【補正方法】変更
【補正の内容】
【００４５】
また、第１０の発明は、過去の所定の対象期間における前記計測数量の時間帯ごとの分布状況を表す個別マップ情報を前記車両感知器ごとに生成するマップ情報生成部をさらに備え、前記交通状況判定部は、判定対象とする前記車両感知器の直近の期間における前記計測数量、および当該車両感知器に関する前記個別マップ情報に基づいて、当該車両感知器に関する交通状況の異常を判定する構成とする。
【手続補正２６】
【補正対象書類名】明細書
【補正対象項目名】００４７
【補正方法】変更
【補正の内容】
【００４７】
また、第１１の発明は、前記交通状況表示部は、判定対象とする前記車両感知器に関する前記個別マップ情報を可視化したマップ画像上に、当該車両感知器の直近の期間における前記計測数量をプロットした画面を表示させる構成とする。
【手続補正２７】
【補正対象書類名】明細書
【補正対象項目名】００４９
【補正方法】変更
【補正の内容】
【００４９】
また、第１２の発明は、道路網に複数設置された車両感知器の異常を検知する車両感知器異常検知システムであって、前記車両感知器により取得した情報に基づいて、交通情報を生成するとともに交通信号機を制御する第１の装置と、この第１の装置に付加的に設けられる第２の装置と、を有し、前記第１の装置は、前記車両感知器から計測数量を含む感知器情報を収集する感知器情報収集部を備え、前記第２の装置は、前記車両感知器が設置された道路を流入路とする信号交差点から前記車両感知器までの距離、前記信号交差点に設置された交通信号機において前記流入路に関する青時間比、および前記車両感知器が右折専用レーン上に設置されたものか否かに関する類型化条件にしたがって、複数の前記車両感知器を複数の類型に振り分ける類型化処理部と、前記第１の装置から前記感知器情報を取得して、ユーザにより既に異常と判断された前記車両感知器の前記計測数量に基づいて、異常状態における前記類型ごとの前記計測数量の分布状況を表す類型別マップ情報を生成するマップ情報生成部と、判定対象とする前記車両感知器の計測数量および前記類型別マップ情報に基づいて、前記車両感知器の異常を判定する感知器状態判定部と、を備えた構成とする。
【手続補正２８】
【補正対象書類名】明細書
【補正対象項目名】００５１
【補正方法】変更
【補正の内容】
【００５１】
また、第１３の発明は、車両感知器の計測数量に基づく交通状況を分析して、その分析結果を表示装置に表示させる交通状況分析システムであって、前記車両感知器により取得した情報に基づいて、交通情報を生成するとともに交通信号機を制御する第１の装置と、この第１の装置に付加的に設けられる第２の装置と、を有し、前記第１の装置は、前記車両感知器から計測数量を含む感知器情報を収集する感知器情報収集部を備え、前記第２の装置は、前記第１の装置から前記感知器情報を取得して、ユーザにより既に異常と判断された前記車両感知器の前記計測数量に基づいて、異常状態における前記計測数量の分布状況を表すマップ情報を生成するマップ情報生成部と、判定対象とする前記車両感知器の計測数量および前記異常状態におけるマップ情報に基づいて、前記車両感知器の異常を判定する感知器状態判定部と、この感知器状態判定部により異常と判定されなかった前記車両感知器を対象にして、前記車両感知器の前記計測数量が表す交通状況の異常を判定する交通状況判定部と、この交通状況判定部の判定結果に基づいて、道路網におけるリンクごとの交通状況を表示する画面において、交通状況が異常と判定された前記車両感知器に対応する前記リンクを識別可能に、または、前記車両感知器に対応する前記リンクごとの交通量の異常の度合いを識別可能に、前記表示装置に表示させる交通状況表示部と、を備えた構成とする。
【手続補正２９】
【補正対象書類名】明細書
【補正対象項目名】００５２
【補正方法】変更
【補正の内容】
【００５２】
これによると、第７の発明と同様に、車両感知器の計測数量に基づく交通状況を適切に分析して、交通状況の異常を精度よくユーザに提示することができる。
【手続補正３０】
【補正対象書類名】明細書
【補正対象項目名】００５３
【補正方法】変更
【補正の内容】
【００５３】
また、第１４の発明は、道路網に複数設置された車両感知器の異常を検知する処理をコンピュータに実行させるためのプログラムであって、前記車両感知器から計測数量を含む感知器情報を収集するステップと、前記車両感知器が設置された道路を流入路とする信号交差点から前記車両感知器までの距離、前記信号交差点に設置された交通信号機において前記流入路に関する青時間比、および前記車両感知器が右折専用レーン上に設置されたものか否かに関する類型化条件にしたがって、複数の前記車両感知器を複数の類型に振り分けるステップと、ユーザにより既に異常と判断された前記車両感知器の前記計測数量に基づいて、異常状態における前記類型ごとの前記計測数量の分布状況を表す類型別マップ情報を生成するステップと、判定対象とする前記車両感知器の計測数量および前記類型別マップ情報に基づいて、前記車両感知器の異常を判定するステップと、を前記コンピュータに実行させる構成とする。
【手続補正３１】
【補正対象書類名】明細書
【補正対象項目名】００５５
【補正方法】変更
【補正の内容】
【００５５】
また、第１５の発明は、車両感知器の計測数量に基づく交通状況を分析して、その分析結果を表示装置に表示させる処理をコンピュータに実行させるためのプログラムであって、前記車両感知器から計測数量を含む感知器情報を収集するステップと、ユーザにより既に異常と判断された前記車両感知器の前記計測数量に基づいて、異常状態における前記計測数量の分布状況を表すマップ情報を生成するステップと、判定対象とする前記車両感知器の計測数量および前記異常状態におけるマップ情報に基づいて、前記車両感知器の異常を判定するステップと、このステップにより異常と判定されなかった前記車両感知器を対象にして、前記車両感知器の前記計測数量が表す交通状況の異常を判定するステップと、このステップの判定結果に基づいて、道路網におけるリンクごとの交通状況を表示する画面において、交通状況が異常と判定された前記車両感知器に対応する前記リンクを識別可能に、または、前記車両感知器に対応する前記リンクごとの交通量の異常の度合いを識別可能に、前記表示装置に表示させるステップと、を前記コンピュータに実行させる構成とする。
【手続補正３２】
【補正対象書類名】明細書
【補正対象項目名】００５６
【補正方法】変更
【補正の内容】
【００５６】
これによると、第７の発明と同様に、車両感知器の計測数量に基づく交通状況を適切に分析して、交通状況の異常を精度よくユーザに提示することができる。